(57)【特許請求の範囲】
【請求項１】
垂木の上面と屋根下地材の下面との間に設置されるケラバ通気部材であって、
長手方向に延びる直方体形状を有し、短手方向の一対の垂直対向面と短手方向の一対の上部対向面及び下部対向面を含む通気本体を備え、
前記通気本体には、
前記一対の垂直対向面を貫通する断面矩形形状の複数の通気路が形成され、
前記通気路のうち、長手方向の端部から奇数番目の通気路にあっては、前記垂直対向面の一方側に接続する前記上部対向面及び前記垂直対向面の他方側に接続する前記下部対向面の各々が外方端部から中央部を除いた位置まで切り欠かれ、
前記通気路のうち、長手方向の端部から偶数番目の通気路にあっては、前記垂直対向面の前記一方側に接続する前記下部対向面及び前記垂直対向面の前記他方側に接続する前記上部対向面の各々が外方端部から中央部を除いた位置まで切り欠かれた、ケラバ通気部材。
【請求項２】
隣接する前記通気路の各々を仕切る仕切部分の短手方向における両端部の各々は、外方に向かってその厚みが漸縮状態に設定される、請求項１記載のケラバ通気部材。
【請求項３】
前記仕切部分の前記両端部の下方部分は、前記中央部を除いて外方に向かって拡がる傾斜状態に切り欠かれている、請求項２記載のケラバ通気部材。
【請求項４】
前記通気本体は、合成樹脂材料より一体的に形成される、請求項１から請求項３のいずれかに記載のケラバ通気部材。
【請求項５】
前記通気本体は、ゴム材料より一体的に形成される、請求項１から請求項３のいずれかに記載のケラバ通気部材。
【発明の詳細な説明】
【技術分野】
【０００１】
この発明はケラバ通気部材に関し、特に切妻屋根を有するような建築物のケラバにおいてケラバの通気に用いられるケラバ通気部材に関するものである。
【背景技術】
【０００２】
図１５は、一般的な切妻屋根を有する建築物の妻側を示す概略図であり、図１６は、図１５で示したＸＶＩ−ＸＶＩラインから見た概略断面図であって、従来のケラバ通気部材を建築物に設置した状態を示す図である。
【０００３】
これらの図を参照して、従来のケラバ通気部材７１は、建築物１のケラバの通気に用いられ、後述する第１部材７３の第１平坦部７４の下面が建築物１の垂木５の上面に当接すると共に、後述する第２部材７８の第２平坦部７９の上面が屋根下地材８の下面に当接するように設置される。
【０００４】
図１７は、図１６で示した従来のケラバ通気部材を示す概略底面図であり、図１８は、図１７で示したＸＶＩＩＩ−ＸＶＩＩＩラインから見た概略断面図である。
【０００５】
これらの図を参照して、従来のケラバ通気部材７１は、合成樹脂を折り曲げて形成され、図１５で示した軒先３方向に延びる第１平坦部７４と第１平坦部７４の図１６で示した妻側２の端部に接続されて垂直下方に延びるガイド部７５とからなる第１部材７３と、第１平坦部７４の上面に当接して、重ねて設置された２枚の中空構造板８３ａ及び中空構造板８３ｂと、合成樹脂を折り曲げて形成され、その下面が中空構造板８３ｂの上面に当接する第２平坦部７９と第２平坦部７９の図１６で示した妻側２の端部に接続されて垂直下方に延びる垂直部８０とからなる第２部材７８とから構成される。
【０００６】
中空構造板８３ａは、合成樹脂からなるプレートに多数の中空円錐台８７を、図１７の破線で示したように平面視千鳥状態となるように成形加工された通気プレート８６と、通気プレート８６の中空円錐台８７群の下面開口側全面に熱接着させた下面材８５と、通気プレート８６の中空円錐台８７群の上面側全面に熱接着させた上面材８４とから構成される。尚、中空構造板８３ｂは、中空構造板８３ａと同一形状であり、中空構造体８３ａの上方に重ねて設置される。
【０００７】
使用に際して、図１６を参照して、図１６に示した実線の矢印のように、妻側２に位置する胴縁６３間に入った外気が、ケラバ通気部材７１の第２部材７８の垂直部８０と防水紙６２との間を介して、中空構造板８３ａ及び中空構造板８３ｂの中空円錐台８７群の間を通り抜けるようにして、小屋裏１０へと通気できるようになっている。
【発明の概要】
【発明が解決しようとする課題】
【０００８】
上記のような従来のケラバ通気部材７１は、千鳥状態に配置された中空円錐台８７群からなる中空構造板８３ａ及び中空構造板８３ｂにより構成されたものであるため、外気がこの中空構造板８３ａ及び中空構造板８３ｂの中空円錐台８７群の間を通り抜けにくいものとなっており、通気量が充分ではなかった。
【０００９】
又、図１６を参照して、ケラバ通気部材７１の第２部材７８の第２平坦部７９の上面は、屋根下地材８に当接しており、第２部材７８の上方からケラバ通気部材７１に対して、屋根下地材８等による荷重が常に加わった状態にある。ここで、ケラバ通気部材７１を構成する第１部材７３、第２部材７８、中空構造板８３ａ及び中空構造板８３ｂは、いずれも合成樹脂から形成されたものであった。そのため、ケラバ通気部材７１は、屋根下地材８等の荷重により変形する虞があり、使用に際して不都合が生じる虞があった。
【００１０】
この発明は、上記のような課題を解決するためになされたもので、使用状態の信頼性が向上すると共に、通気量が増加するケラバ通気部材を提供することを目的とする。
【課題を解決するための手段】
【００１１】
上記の目的を達成するために、請求項１記載の発明は、垂木の上面と屋根下地材の下面との間に設置されるケラバ通気部材であって、長手方向に延びる直方体形状を有し、短手方向の一対の垂直対向面と短手方向の一対の上部対向面及び下部対向面を含む通気本体を備え、通気本体には、一対の垂直対向面を貫通する断面矩形形状の複数の通気路が形成され、通気路のうち、長手方向の端部から奇数番目の通気路にあっては、垂直対向面の一方側に接続する上部対向面及び垂直対向面の他方側に接続する下部対向面の各々が外方端部から中央部を除いた位置まで切り欠かれ、通気路のうち、長手方向の端部から偶数番目の通気路にあっては、垂直対向面の一方側に接続する下部対向面及び垂直対向面の他方側に接続する上部対向面の各々が外方端部から中央部を除いた位置まで切り欠かれたものである。
【００１２】
このように構成すると、通気量を確保しつつ、垂直方向の耐荷重が安定する。
【００１３】
請求項２記載の発明は、請求項１記載の発明の構成において、隣接する通気路の各々を仕切る仕切部分の短手方向における両端部の各々は、外方に向かってその厚みが漸縮状態に設定されるものである。
【００１４】
このように構成すると、仕切部分を介しての通気抵抗が小さくなる。
【００１５】
請求項３記載の発明は、請求項２記載の発明の構成において、仕切部分の両端部の下方部分は、中央部を除いて外方に向かって拡がる傾斜状態に切り欠かれているものである。
【００１６】
このように構成すると、実質的な通気路の断面が増加する。
【００１７】
請求項４記載の発明は、請求項１から請求項３のいずれかに記載の発明の構成において、通気本体は、合成樹脂材料より一体的に形成されるものである。
【００１８】
このように構成すると、通気本体の成形が容易になる。
【００１９】
請求項５記載の発明は、請求項１から請求項３のいずれかに記載の発明の構成において、通気本体は、ゴム材料より一体的に形成されるものである。
【００２０】
このように構成すると、設置対象に容易に追随する。
【発明の効果】
【００２１】
以上説明したように、請求項１記載の発明は、通気量を確保しつつ、垂直方向の耐荷重が安定するため、使用状態の信頼性が向上する。
【００２２】
請求項２記載の発明は、請求項１記載の発明の効果に加えて、仕切部分を介しての通気抵抗が小さくなるため、通気量が増加する。
【００２３】
請求項３記載の発明は、請求項２記載の発明の効果に加えて、実質的な通気路の断面が増加するため、通気量が更に増加する。
【００２４】
請求項４記載の発明は、請求項１から請求項３のいずれかに記載の発明の効果に加えて、通気本体の成形が容易になるため、コスト的に有利となる。
【００２５】
請求項５記載の発明は、請求項１から請求項３のいずれかに記載の発明の効果に加えて、設置対象に容易に追随するため、設置状態が安定する。
【図面の簡単な説明】
【００２６】
【図１】この発明の第１の実施の形態によるケラバ通気部材の概略正面図である。
【図２】図１で示したケラバ通気部材の概略背面図である。
【図３】図１で示したケラバ通気部材の概略平面図である。
【図４】図１で示したケラバ通気部材の概略底面図である。
【図５】図１で示したケラバ通気部材の概略右側面図である。
【図６】図１で示したケラバ通気部材の概略左側面図である。
【図７】図３で示したＶＩＩ−ＶＩＩラインから見た概略断面図である。
【図８】図３で示したＶＩＩＩ−ＶＩＩＩラインから見た概略断面図である。
【図９】図５で示したＩＸ−ＩＸラインから見た概略断面図である。
【図１０】図５で示したＸ−Ｘラインから見た概略断面図である。
【図１１】図５で示したＸＩ−ＸＩラインから見た概略断面図である。
【図１２】図１で示したケラバ通気部材を建築物に設置した状態を示す概略断面図であって、図１６に対応した図である。
【図１３】図１で示したケラバ通気部材の設置工程の一部を示す概略断面図である。
【図１４】図１３で示した設置工程に続くケラバ通気部材の設置工程の他の一部を示す概略断面図である。
【図１５】一般的な切妻屋根を有する建築物の妻側を示す概略図である。
【図１６】図１５で示したＸＶＩ−ＸＶＩラインから見た概略断面図であって、従来のケラバ通気部材を建築物に設置した状態を示す図である。
【図１７】図１６で示した従来のケラバ通気部材を示す概略底面図である。
【図１８】図１７で示したＸＶＩＩＩ−ＸＶＩＩＩラインから見た概略断面図である。
【発明を実施するための形態】
【００２７】
図１は、この発明の第１の実施の形態によるケラバ通気部材の概略正面図であり、図２は、図１で示したケラバ通気部材の概略背面図であり、図３は、図１で示したケラバ通気部材の概略平面図であり、図４は、図１で示したケラバ通気部材の概略底面図であり、図５は、図１で示したケラバ通気部材の概略右側面図であり、図６は、図１で示したケラバ通気部材の概略左側面図であり、図７は、図３で示したＶＩＩ−ＶＩＩラインから見た概略断面図であり、図８は、図３で示したＶＩＩＩ−ＶＩＩＩラインから見た概略断面図であり、図９は、図５で示したＩＸ−ＩＸラインから見た概略断面図であり、図１０は、図５で示したＸ−Ｘラインから見た概略断面図であり、図１１は、図５で示したＸＩ−ＸＩラインから見た概略断面図であり、図１２は、図１で示したケラバ通気部材を建築物に設置した状態を示す概略断面図であって、図１６に対応した図である。
【００２８】
これらの図を参照して、ケラバ通気部材１１は、図１２で示した建築物１のケラバの通気に用いられ、垂木５の上面と屋根下地材８の下面との間に設置され、長手方向に延びる直方体形状を有する通気本体１６から構成される。
【００２９】
ケラバ通気部材１１の通気本体１６は、例えばポリオレフィン系樹脂等の合成樹脂材料より一体的に形成され、短手方向の一対の垂直対向面２０（図１２で妻側２に配置）及び垂直対向面２１（図１２で小屋裏１０側に配置）と、短手方向の一対の上部対向面２６及び下部対向面２７とを含んで構成される。合成樹脂材料より一体的に形成されることにより、通気本体１６の成形が容易になるため、コスト的に有利となっている。
【００３０】
通気本体１６は、一対の垂直対向面２０及び垂直対向面２１を貫通する断面矩形形状の複数の通気路３１及び通気路３２と、隣接する通気路３１及び通気路３２の各々を仕切る仕切部分４０とが更に形成されている。尚、図３等においては、通気路３１及び通気路３２は、通気路３１ａ〜通気路３１ｅ及び通気路３２ａ〜通気路３２ｅのみを記載しているが、後述する配置の仕方に従い、通気本体１６の長手方向に連続して形成されている。又、同様に、仕切部分４０は、仕切部分４０ａ〜仕切部分４０ｉのみを記載しているが、後述する配置の仕方に従い、通気本体１６の長手方向に連続して形成されている。
【００３１】
通気本体１６の通気路３１及び通気路３２のうち、通気本体１６の長手方向の端部１７（後述する凹部４７側）から奇数番目の通気路３１ａ〜通気路３１ｅにあっては、一対の垂直対向面の一方側である垂直対向面２０に接続する上部対向面２６及び一対の垂直対向面の他方側である垂直対向面２１に接続する下部対向面２７の各々が外方端部から中央部１８を除いた位置まで切り欠かれている。
【００３２】
又、通気本体１６の通気路３１及び通気路３２のうち、通気本体１６の長手方向の端部１７（後述する凹部４７側）から偶数番目の通気路３２ａ〜通気路３２ｅにあっては、一対の垂直対向面の一方側である垂直対向面２０に接続する下部対向面２７及び一対の垂直対向面の他方側である垂直対向面２１に接続する上部対向面２６の各々が外方端部から中央部１８を除いた位置まで切り欠かれている。
【００３３】
このように構成することにより、図３〜図６、図８及び図９を特に参照して、通気路３１ａ〜通気路３１ｅ及び通気路３２ａ〜通気路３２ｅは、上述のように垂直対向面２０及び垂直対向面２１の外方端部が切り欠かれて形成されているため、外方端部における通気路の断面が増加し、通気量が増加する。
【００３４】
図３及び図４を特に参照して、上述のように、通気路３１ａ〜通気路３１ｅの各々は、通気本体１６の長手方向の端部１７から奇数番目に形成されている。通気路３２ａ〜通気路３２ｅの各々は、通気本体１６の長手方向の端部１７から偶数番目に形成されている。即ち、通気路３１ａ〜通気路３１ｅの各々は、通気路３２ａ〜通気路３２ｅの各々と互い違いとなるように形成されている。又、図３、図４、図７、図８及び図１０を特に参照して、通気路３１ａ〜通気路３１ｅ及び通気路３２ａ〜通気路３２ｅは、上述のように垂直対向面２０及び垂直対向面２１の外方端部から中央部１８を除いた位置まで切り欠かれて形成されている。このように形成することにより、通気本体１６の上部対向面２６が図１２で示した屋根下地材８により上方から押圧される際に、力をバランス良く分散させることができる。又、通気本体１６の下部対向面２７が、図１２で示した垂木５に対して上方から押圧する際に、上方からの力をバランス良く分散させることができる。更に、図１０を参照して、通気本体１６の仕切部分４０ａ〜仕切部分４０ｉの各々は、欠損部のない中実構造となるように形成されている。従って、垂直方向の耐荷重が安定し、使用勝手が向上する。
【００３５】
図３〜図６及び図１１を特に参照して、隣接する通気路３１ａ〜通気路３１ｅ及び通気路３２ａ〜通気路３２ｅの各々を仕切る仕切部分４０ａ〜仕切部分４０ｉの短手方向における両端部４１ａ及び両端部４１ｂの各々は、外方に向ってその厚みが漸縮状態に設定されている。即ち、図１１に示したように、断面視において、仕切部分４０ａ〜仕切部分４０ｉの両端部４１ａ及び両端部４１ｂの各々は、先細り形状になっている。このように構成することにより、仕切部分４０ａ〜仕切部分４０ｉを介しての通気抵抗が小さくなるため、通気量が増加する。
【００３６】
図５、図６、図８及び図９を参照しつつ、特に図１０を参照して、仕切部分４０ａ〜仕切部分４０ｉの両端部４１ａ及び両端部４１ｂの下方部分の各々は、中央部１８を除いて外方に向って拡がる傾斜状態に切り欠かれた切欠き４３ａ及び切欠き４３ｂが形成されている。これにより、図９を参照して、通気路３１ｄは、隣接する仕切部分４０ｆの切欠き４３ａに連通することになる。即ち、実質的な通気路の断面が増加することになり、通気量が更に増加する。又、仕切部分４０ａ〜仕切部分４０ｉの両端部４１ａ及び両端部４１ｂの下方部分だけでなく、通気本体１６の短手方向の両端部の下方部分全体が、同様にして、切り欠かれて形成されている。このように構成した理由については後述する。
【００３７】
図９を参照して、通気本体１６の上方部分は、上部対向面２６側に通気路３１ｄが外方に向って拡がる傾斜状態に切り欠かれた切欠き２９が形成されている。これにより、実質的な通気路の断面が増加することになり、通気量が更に増加する。
【００３８】
図１〜図４を特に参照して、通気本体１６の長手方向の端部１７には、凹部４７が形成されている。通気本体１６の長手方向の端部１７の対向する端部には、凹部４７に係合する形状の凸部４６が形成されている。これらの係合については後述する。
【００３９】
使用に際して、図１２を参照して、実線の矢印で示したように、胴縁６３間に入った外気が、ケラバ通気部材１１の垂直対向面２０側から、通気路３１（及び通気路３２）に入り、垂直対向面２１側から小屋裏１０へと通気する。通気路３１及び通気路３２は、垂直対向面２０及び垂直対向面２１を貫通する断面矩形形状に形成されており、図１６及び図１７で示した千鳥状態に配置された中空円錐台８７群を有する従来のケラバ通気部材７１に比べて、通気量を充分に確保することができる。又、通気量を確保することにより、胴縁６３間や小屋裏１０における結露防止効果も向上する。
【００４０】
又、図５〜図８を特に参照して、ケラバ通気部材１１の通気本体１６の通気路３１ａ〜通気路３１ｅ及び通気路３２ａ〜通気路３２ｅの各々は、同一形状及び同一間隔で形成されているので、通気抵抗が各通気路において変わらないため、外気の通気が安定し易くなっている。
【００４１】
図１３は、図１で示したケラバ通気部材の設置工程の一部を示す概略断面図であり、図１４は、図１３で示した設置工程に続くケラバ通気部材の設置工程の他の一部を示す概略断面図である。
【００４２】
設置に際して、まず図１３の（１）を参照して、ケラバ通気部材１１の通気本体１６の高さがＨ１であるとき、ケラバ通気部材１１の設置対象となる垂木５の高さＨ２（母屋７の上面からの高さ）は、他の垂木６の高さＨ３よりも高さＨ１だけ短くする。そして、建築物１の妻側２に位置する垂木５に対して、上方から釘等によって、ケラバ通気部材１１を固定する。これにより、ケラバ通気部材１１の通気本体１６の下部対向面２７は、垂木５の上面に当接する。
【００４３】
ここで、上述したように、通気本体１６の短手方向の両端部の下方部分全体が、仕切部分４０ａ〜仕切部分４０ｉを含めて、切り欠かれて形成されているので、垂木５を成形する際に生じた垂木５の上面の両端部にバリがある場合にも、バリの影響を受けずにケラバ通気部材１１を垂木５に安定して設置できる。
【００４４】
尚、ケラバ通気部材１１の通気本体１６の短手方向の幅Ｗは、垂木５の幅と同一に形成されることで、ケラバ通気部材１１は安定して垂木５に設置できる。
【００４５】
又、複数のケラバ通気部材１１を設置する場合には、図１１で示したように、別のケラバ通気部材１１ａの凹部４７ａを、通気部材１１の凸部４６に係合させる。このようにして、同様に、ケラバ通気部材を複数連結させることができる。その際、同様にして形成した長さの異なるケラバ通気部材を用いることで、あらゆるケラバに対応できるようになる。
【００４６】
更に、ケラバ通気部材１１の通気本体１６を、例えばブチルゴム等のゴム材料より一体的に形成しても良い。これにより、設置時に施工者が手で通気本体１６を切断して、長さ調節を行うことができる。又、設置対象に容易に追随するので、設置状態が安定する。尚、通気本体１６の長手方向に所定間隔でスリット等を設けることで、手で通気本体１６を切断しやすくなる。
【００４７】
次に、図１３の（２）を参照して、外壁下地材６１を、垂木５等の外面に固定する。その際、通気スペースを確保するために、外壁下地材６１の上端位置が、垂木５の上端位置となるようにする。
【００４８】
そして、図１３の（３）を参照して、屋根下地材８を、上方からケラバ通気部材１１及び垂木６に固定する。これにより、ケラバ通気部材１１の通気本体１６の上部対向面２６は、屋根下地材８の下面に当接する。その際、図１３の（１）及び（２）を参照して、垂木５に設置されたケラバ通気部材１１の高さは、上述したように、他の垂木６と同一の高さＨ３となるように形成されているので、屋根下地材８を設置する際に、傾きが生じない。
【００４９】
図１４の（１）を参照して、防水紙６２を、外壁下地材６１の外面に設置する。その際、通気スペースを確保するために、防水紙６２の上端位置が、外壁下地材６１及び垂木５の上端位置となるようにする。
【００５０】
そして、図１４の（２）を参照して、胴縁６３の上端位置が防水紙６２（外壁下地材６１及び垂木５）の上端位置よりも下方となるように、胴縁６３を設置する。
【００５１】
その後、図１４の（３）を参照して、サイディング６５を妻側２に設置し、ルーフィング６８、のぼり木６４、ケラバ水切６７及び屋根材６９等を上方から屋根下地材８に設置する。ここで、ケラバ通気部材１１は、当接している屋根下地材８を介して、上方から荷重がかかった状態となるが、上述のように、ケラバ通気部材１１は垂直方向の耐荷重が安定するように構成されているので、使用における信頼性が向上している。
【００５２】
尚、上記の実施の形態では、ケラバ通気部材の通気路は、特定数及び所定間隔で形成されたものであったが、長手方向の端部から奇数番目及び偶数番目が存在し、奇数番目の通気路にあっては、垂直対向面の一方側に接続する上部対向面及び垂直対向面の他方側に接続する下部対向面の各々が外方端部から中央部を除いた位置まで切り欠かれ、偶数番目の通気路にあっては、垂直対向面の一方側に接続する下部対向面及び垂直対向面の他方側に接続する上部対向面の各々が外方端部から中央部を除いた位置まで切り欠かれたものであれば、それ以外の数で任意の間隔で通気本体に形成されていても良い。
【００５３】
又、上記の実施の形態では、ケラバ通気部材の通気路は、特定形状を有するものであったが、通気本体において一対の垂直対向面を貫通する断面矩形形状を有するものであれば、その他の形状であっても良い。
【００５４】
更に、上記の実施の形態では、仕切部分は、短手方向における両端部の各々が外方に向ってその厚みが漸縮状態に設定されたものであったが、両端部の片方のみが漸縮状態に設定されたものであっても良い。又は、両端部の双方が漸縮状態に設定されていなくても良い。
【００５５】
更に、上記の実施の形態では、仕切部分の両端部の下方部分の各々は、中央部を除いて外方に向って拡がる傾斜状態に切り欠かれたものであったが、両端部の下方部分の片方のみが傾斜状態に切り欠かれたものであっても良い。又は、両端部の下方部分の双方が傾斜状態に切り欠かれていなくても良い。
【００５６】
更に、上記の実施の形態では、仕切部分の間に位置する通気本体の両端部の下方部分の各々は、中央部を除いて外方に向って拡がる傾斜状態に切り欠かれたものであったが、両端部の下方部分の片方のみが傾斜状態に切り欠かれたものであっても良い。又は、両端部の下方部分の双方が傾斜状態に切り欠かれていなくても良い。
【００５７】
更に、上記の実施の形態では、通気本体は、合成樹脂材料より一体的に形成されたものであったが、それ以外の材料より一体的に形成されても良い。又は、例えば複数部材から形成されるように、一体的に形成されていなくても良い。
【００５８】
更に、上記の実施の形態では、通気本体は、長尺のものであったが、長手方向に延びる直方体形状を有し、短手方向の一対の垂直対向面と短手方向の一対の上部対向面及び下部対向面を含むものであれば、それ以外の長さで形成されても良い。
【００５９】
更に、上記の実施の形態では、通気本体は、凹部及び凸部が形成されたものであったが、凹部及び凸部はなくても良い。又は、各々が係合するように、その他の形状や方法で形成されても良い。
【００６０】
更に、上記の実施の形態では、ケラバ通気部材は、連結して設置する際には通気路を有するもの同士を係合させたものであったが、通気路を有さない通気部材を本願のケラバ通気部材に連結させて設置しても良い。これにより、ケラバにおける通気路の有無を所望の位置に配置できるので、通気量の調整が容易となる。
【符号の説明】
【００６１】
５…垂木
８…屋根下地材
１１…ケラバ通気部材
１６…通気本体
１７…端部
１８…中央部
２０…垂直対向面
２１…垂直対向面
２６…上部対向面
２７…下部対向面
３１…通気路
３２…通気路
４０…仕切部分
４１…両端部
尚、各図中同一符号は同一又は相当部分を示す。
【要約】
【課題】  使用状態の信頼性が向上すると共に、通気量が増加するケラバ通気部材を提供する。
【解決手段】  ケラバ通気部材１１の通気本体１６は、長手方向に延びる直方体形状を有し、垂直対向面２０及び垂直対向面２１と、上部対向面２６及び下部対向面と、垂直対向面２０及び垂直対向面２１を貫通する通気路３１ａ〜３１ｅ及び通気路３２ａ〜３２ｅと、仕切部分４０ａ〜４０ｉとからなる。端部１７から奇数番目の通気路３１ａ〜３１ｅは、垂直対向面２０に接続する上部対向面２６及び垂直対向面２１に接続する下部対向面の各々が外方端部から中央部１８を除いた位置まで切り欠かれる。端部１７から偶数番目の通気路３２ａ〜３２ｅは、垂直対向面２０に接続する下部対向面及び垂直対向面２１に接続する上部対向面２６の各々が外方端部から中央部１８を除いた位置まで切り欠かれる。これによって、通気量を確保しつつ、垂直方向の耐荷重が安定する。
【選択図】  図３【図１】
0005933803.tif 000002
【図２】
0005933803.tif 000003
【図３】
0005933803.tif 000004
【図４】
0005933803.tif 000005
【図５】
0005933803.tif 000006
【図６】
0005933803.tif 000007
【図７】
0005933803.tif 000008
【図８】
0005933803.tif 000009
【図９】
0005933803.tif 000010
【図１０】
0005933803.tif 000011
【図１１】
0005933803.tif 000012
【図１２】
0005933803.tif 000013
【図１３】
0005933803.tif 000014
【図１４】
0005933803.tif 000015
【図１５】
0005933803.tif 000016
【図１６】
0005933803.tif 000017
【図１７】
0005933803.tif 000018
【図１８】
0005933803.tif 000019